(57)【特許請求の範囲】
【請求項１】
複数のブロック状突起を有するアウトソールを備えた靴底であって、
前記各ブロック状突起のうち少なくとも１つのブロック状突起が、前記アウトソールにおけるアウトサイドの側縁に対向して配置されるアウトサイド壁面と、アウトサイド壁面の反対側に配置されるインサイド壁面と、爪先側に配置される爪先側壁面と、踵側に配置される踵側壁面とを有しており、
前記ブロック状突起の踵側壁面は、該踵側壁面のアウトサイドにおけるアウトソールの平面上のソール側エッジに相当する位置と地面側エッジに相当する位置との間の距離が、該踵側壁面のインサイドにおけるアウトソールの平面上のソール側エッジに相当する位置と地面側エッジに相当する位置との間の距離に対して２０〜４５％の長さに形成されており、
前記ブロック状突起の接地面は、前記アウトサイド壁面の地面側エッジにより構成される辺が、前記爪先側壁面および前記踵側壁面の地面側エッジにより構成される辺に対して１３０〜４００％の長さに形成されており、
前記ブロック状突起のインサイド壁面は、側面視において凹型の曲線状に形成されていることを特徴とする靴底。
【請求項２】
前記アウトソールの底面の輪郭における爪先側と踵側とを結ぶ最長線の長さを基準長さＬ１とし、基準長さＬ１の長さ方向に直交する方向を幅方向として、
前記ブロック状突起が、前記底面のアウトサイドにおける基準長さＬ１における最も爪先側の端部である最前端部から０．２Ｌ１の距離と０．６Ｌ１の距離との間に配置され、
前記ブロック状突起のアウトサイド壁面における地面側エッジが、前記幅方向に対して９０〜１５０度に傾斜して配置されていることを特徴とする請求項１に記載の靴底。
【請求項３】
前記アウトソールの底面の輪郭における爪先側と踵側とを結ぶ最長線の長さを基準長さＬ１とし、基準長さＬ１の長さ方向に直交する方向を幅方向とし、基準長さＬ１と平行であって前記輪郭におけるアウトサイドの最外端部を通過する直線を最外端線、インサイドの最内端部を通過する直線を最内端線とし、前記最外端線と前記最内端線との間の最短線の長さを基準幅Ｄとして、
前記ブロック状突起が、前記底面における前記最外端線から０．１Ｄの距離をもって基準長さＬ１に平行に配置された第１区画線と、前記最外端線から０．６Ｄの距離をもって基準長さＬ１に平行に配置された第２区画線と、基準長さＬ１における最も爪先側の端部である最前端部から０．２Ｌ１の距離をもって基準幅Ｄに平行に配置された第３区画線と、前記最前端部から０．６Ｌ１の距離をもって基準幅Ｄに平行に配置された第４区画線とに囲まれた第１領域に配置されていることを特徴とする請求項１または請求項２に記載の靴底。
【請求項４】
前記第１領域に配置された第１ブロック状突起のうち、前記最前端部から０．３Ｌ１の距離より踵側に０．５５Ｌ１の距離の間に、少なくとも６個の前記ブロック状突起が配置されていることを特徴とする請求項３に記載の靴底。
【請求項５】
前記第１領域に配置された第１ブロック状突起の配置位置における幅方向の中央よりに、第１ブロック状突起と同一の構成の第２ブロック状突起が配置されており、第２ブロック状突起の接地面の中央部分には、地面側からソール側に凹む平面形状が矩形状の凹部が形成されていることを特徴とする請求項４に記載の靴底。
【請求項６】
爪先側壁面および踵側壁面を有する横筋状の第１エッジ状突起を有しており、
前記第１エッジ状突起は、前記底面に対する前記爪先側壁面の傾斜角度が前記踵側壁面の傾斜角度よりも小さく形成されていることを特徴とする請求項２から請求項５のいずれか１項に記載の靴底。
【請求項７】
前記アウトソールの底面の輪郭における爪先側と踵側とを結ぶ最長線の長さを基準長さＬ１とし、基準長さＬ１の長さ方向に直交する方向を幅方向とし、基準長さＬ１と平行であって前記輪郭におけるアウトサイドの最外端部を通過する直線を最外端線Ｌ２、インサイドの最内端部を通過する直線を最内端線Ｌ３とし、前記最外端線Ｌ２と前記最内端線Ｌ３との間の最短線の長さを基準幅Ｄとして、
前記底面の輪郭における爪先側と踵側とを結ぶ最長線の長さを基準長さＬ１とし、基準長さＬ１の長さ方向に直交する方向を幅方向として、
前記第１エッジ状突起が、前記アウトソールの底面における前記幅方向の中央部分であって基準長さＬ１における最も爪先側の端部である最前端部から０．０５Ｌ１の距離をもって基準幅Ｄに平行に配置された第５区画線と、最前端部から０．５Ｌ１の距離をもって基準幅Ｄに平行に配置された第６区画線と、最外端線Ｌ２から０．３５Ｄをもって基準長さＬ１に平行に配置された第７区画線と、最外端線Ｌ２から０．８Ｄの距離をもって基準長さＬ１に平行に配置された第８区画線に囲まれた第２領域に配置されていることを特徴とする請求項６に記載の靴底。
【請求項８】
前記底面の輪郭における爪先側と踵側とを結ぶ最長線の長さを基準長さＬ１とし、基準長さＬ１の長さ方向に直交する方向を幅方向として、
前記第１エッジ状突起の接地縁が、その幅方向に対して０〜１０度の角度に傾斜して配置されていることを特徴とする請求項６または請求項７に記載の靴底。
【請求項９】
前記第１エッジ状突起において地面に接する設置縁は、平面視において直線状、または直線状であって該直線状の途中部分において踵側にＶ字に突出するＶ字部が形成された形状とされている請求項６から請求項８のいずれか１項に記載の靴底。
【請求項１０】
爪先側壁面および踵側壁面を有する横筋状の第２エッジ状突起を有しており、
前記第２エッジ状突起は、前記アウトソールの底面に対する前記爪先側壁面の傾斜角度が前記踵側壁面の傾斜角度よりも大きく形成されていることを特徴とする請求項２から請求項９のいずれか１項に記載の靴底。
【請求項１１】
前記底面の輪郭における爪先側と踵側とを結ぶ最長線の長さを基準長さＬ１とし、基準長さＬ１の長さ方向に直交する方向を幅方向として、
前記第２エッジ状突起が、前記アウトソールの底面における前記幅方向の中央部分であって基準長さＬ１における最も爪先側の端部である最前端部から０．８５Ｌ１の距離と１．０Ｌ１の距離との間に配置されていることを特徴とする請求項１０に記載の靴底。
【請求項１２】
前記底面の輪郭における爪先側と踵側とを結ぶ最長線の長さを基準長さＬ１とし、基準長さＬ１の長さ方向に直交する方向を幅方向として、
前記第２エッジ状突起の接地縁が、その幅方向に対して１０〜３０度の角度によって傾斜して配置されていることを特徴とする請求項１０または請求項１１に記載の靴底。
【請求項１３】
請求項１から請求項１２のいずれか１項に記載の靴底を備えていることを特徴とする靴。
【発明の詳細な説明】
【技術分野】
【０００１】
本発明は、ゴルフシューズに好適に使用される靴底およびこの靴底を用いた靴に関する。
【背景技術】
【０００２】
近年、ポリウレタン等の合成樹脂からなるソフトスパイクとともに、合成樹脂やゴム等からなるブロック状やエッジ状の突起を備えたゴルフシューズが用いられるようになっている。しかし、このようなブロック状やエッジ状の突起を備えたゴルフシューズは、ソフトスパイクを備えたゴルフシューズと比較して、ゴルフのスイング中の靴底のグリップ力が低下し、スリップ防止機能が低下してしまう。すなわち、バックスイングからフォロースイングにいたるゴルフのスイング中に足に力がかかると、ソフトスパイクを備えた靴と比較してソフトスパイクを備えていない靴は地面に対する食い込みが低いのでスリップが発生しやすくなってしまう。そして、スリップが発生するとスイングのフォームが乱れてしまい、安定してショットをはなつことができなくなってしまうこととなる。このため、合成樹脂等からなる突起を備えたゴルフシューズについて、スリップ防止機能を向上させる開発が行われている。
【０００３】
例えば、特許文献１には、打撃方向の前側に位置する軸足の靴には爪先方向に凸である線に沿った突出部を主として形成し、打撃方向の後側に位置する蹴足の靴には踵方向に凸である線に沿った突出部を主として形成することにより、トップ位置からインパクトにかけての軸足の靴の略爪先方向へのスリップおよび蹴足の靴の略踵方向へのスリップを抑制するゴルフシューズが開示されている（特に、段落００１２）。また、特許文献２には、靴底の底面における各部分の突起の接地面の占有率を調整することにより、軸足の靴のスリップを抑制するゴルフシューズが開示されている（段落００４１から００４３）。
【先行技術文献】
【特許文献】
【０００４】
【特許文献１】特許第４３４６７８９号公報
【特許文献２】特許第５２７１２２０号公報
【発明の概要】
【発明が解決しようとする課題】
【０００５】
しかし、これらのゴルフシューズは、ゴルフのスイング中におけるスリップの抑制を考慮して開発されたものであり、スイング全体における靴底のグリップ力について不十分な点があった。
【０００６】
本発明は、上述した事情に鑑みてなされたものであり、グリップ力の向上を図ることができる靴底およびこの靴底を用いた靴を提供することを目的とする。
【課題を解決するための手段】
【０００７】
前記目的を達成するため、本発明に係る靴底は、複数のブロック状突起を有するアウトソールを備えた靴底であって、前記各ブロック状突起のうち少なくとも１つのブロック状突起が、前記アウトソールにおけるアウトサイドの側縁に対向して配置されるアウトサイド壁面と、アウトサイド壁面の反対側に配置されるインサイド壁面と、爪先側に配置される爪先側壁面と、踵側に配置される踵側壁面とを有しており、前記ブロック状突起の踵側壁面は、該踵側壁面のアウトサイドにおけるアウトソールの平面上のソール側エッジに相当する位置と地面側エッジに相当する位置との間の距離が、該踵側壁面のインサイドにおけるアウトソールの平面上のソール側エッジに相当する位置と地面側エッジに相当する位置との間の距離に対して２０〜４５％の長さに形成されており、前記ブロック状突起の接地面は、前記アウトサイド壁面の地面側エッジにより構成される辺が、前記爪先側壁面および前記踵側壁面の地面側エッジにより構成される辺に対して１３０〜４００％の長さに形成されており、前記ブロック状突起のインサイド壁面は、側面視において凹型の曲線状に形成されていることを特徴とする。
【０００８】
本発明に係る靴底によれば、ゴルフのスイング中にブロック状突起の接地面におけるアウトサイドのエッジを十分に地面に接地させることができるので、これにより、グリップ力の向上を図ることができる。さらに、本発明に係る靴底において、前記ブロック状突起のインサイド壁面は、側面視において凹型の曲線状に形成されている。これにより、本発明に係る靴底は、アウトサイドからかかる力に対して、前記ブロック状突起の剛性を保持したまま引っ掛かり効果（エッジ効果）を向上させることができるので、この結果スイング中における靴底のグリップ力をより向上させることができる。また、このような構成を採用することにより、前記ブロック状突起の剛性を低下させることなく軽量化を図ることができ、さらに高い引っ掛かり効果（エッジ効果）を維持しながら、前記ブロック状突起が靴底からもげてしまうことを防止することができる。
【０００９】
また、本発明に係る靴底において、前記アウトソールの底面の輪郭における爪先側と踵側とを結ぶ最長線の長さを基準長さＬ１とし、基準長さＬ１の長さ方向に直交する方向を幅方向として、前記ブロック状突起を、前記底面のアウトサイドにおける基準長さＬ１における最も爪先側の端部である最前端部から０．２Ｌ１の距離と０．６Ｌ１の距離との間に配置し、前記ブロック状突起のアウトサイド壁面における地面側エッジを、前記幅方向に対して９０〜１５０度に傾斜して配置するとよい。これにより、本発明に係る靴底は、ゴルフのスイング中における靴底のグリップ力を向上させることができる。
【００１０】
さらに、本発明に係る靴底において、前記アウトソールの底面の輪郭における爪先側と踵側とを結ぶ最長線の長さを基準長さＬ１とし、基準長さＬ１の長さ方向に直交する方向を幅方向とし、基準長さＬ１と平行であって前記輪郭におけるアウトサイドの最外端部を通過する直線を最外端線Ｌ２、インサイドの最内端部を通過する直線を最内端線Ｌ３とし、前記最外端線Ｌ２と前記最内端線Ｌ３との間の最短線の長さを基準幅Ｄとして、前記ブロック状突起を、前記底面における前記最外端線Ｌ２から０．１Ｄの距離をもって基準長さＬ１に平行に配置された第１区画線と、前記最外端線Ｌ２から０．６Ｄの距離をもって基準長さＬ１に平行に配置された第２区画線と、基準長さＬ１における最も爪先側の端部である最前端部から０．２Ｌ１の距離をもって基準幅Ｄに平行に配置された第３区画線と、前記最前端部から０．６Ｌ１の距離をもって基準幅Ｄに平行に配置された第４区画線とに囲まれた第１領域に配置してもよい。これにより、本発明に係る靴底は、ゴルフのスイング中における靴底のグリップ力を向上させることができる。
【００１１】
また、本発明に係る靴底において、前記第１領域に配置された第１ブロック状突起のうち、前記最前端部から０．３Ｌ１の距離より踵側に（０．５５）Ｌ１の距離の間に、少なくとも６個の前記ブロック状突起を配置するとよい。これにより、本発明に係る靴底は、ゴルフのスイング中における靴底のグリップ力をより確実に向上させることができる。
【００１２】
さらに、前記第１領域に配置された第１ブロック状突起の配置位置における幅方向の中央よりに、第１ブロック状突起と同一の構成の第２ブロック状突起が配置されており、第２ブロック状突起の接地面の中央部分には、地面側からソール側に凹む平面形状が矩形状の凹部が形成されているとよい。この凹部によって、第２ブロック状突起の接地面積が小さくなっている。このように第２ブロック状突起を靴底の所定の位置に配置することにより、本発明に係る靴底は、ゴルフのスイング中における靴底のグリップ力を向上させることができる。また、靴底は、第２ブロック状突起の接地面積を小さくすることにより、第２ブロック状突起の接地圧が高まり、靴底のグリップ力を向上させることが可能となっている。
【００１３】
さらにまた、本発明に係る靴底において、爪先側壁面および踵側壁面を有する横筋状の第１エッジ状突起を有し、前記第１エッジ状突起を、前記アウトソールの底面に対する前記爪先側壁面の傾斜角度が前記踵側壁面の傾斜角度よりも小さく形成してもよい。さらに、前記第１エッジ状突起を、前記アウトソールの底面における前記幅方向の中央部分であって基準長さＬ１における最も爪先側の端部である最前端部から０．０５Ｌ１の距離をもって基準幅Ｄに平行に配置された第５区画線と、最前端部から０．５Ｌ１の距離をもって基準幅Ｄに平行に配置された第６区画線と、最外端線Ｌ２から０．３５Ｄをもって基準長さＬ１に平行に配置された第７区画線と、最外端線Ｌ２から０．８Ｄの距離をもって基準長さＬ１に平行に配置された第８区画線に囲まれた第２領域に配置するとよく、さらにまた、前記第１エッジ状突起の接地縁を、その幅方向に対して０〜１０度の角度によって傾斜して形成するとよい。これにより、本発明に係る靴底は、第１エッジ状突起の接地面における爪先側のエッジを、上りの歩行の際に十分に地面に接地させることができるので、上りの歩行の際の靴底のグリップ力を向上させることができる。また、前記第１エッジ状突起において地面に接する設置縁は、平面視において直線状、または直線状であって該直線状の途中部分において踵側にＶ字に突出するＶ字部が形成された形状とされているとよい。これにより、上りの歩行の際における靴底のグリップ力の向上を図ることができる。
【００１４】
また、本発明に係る靴底において、爪先側壁面および踵側壁面を有する横筋状の第２エッジ状突起を有し、前記第２エッジ状突起を、前記アウトソールの底面に対する前記爪先側壁面の傾斜角度が前記踵側壁面の傾斜角度よりも大きく形成してもよい。さらに、前記第２エッジ状突起を、前記アウトソールの底面における前記幅方向の中央部分であって基準長さＬ１における最も爪先側の端部である最前端部から０．８５Ｌ１の距離と１．０Ｌ１の距離との間に配置するとよく、さらにまた、前記第２エッジ状突起の接地縁を、その幅方向に対して１０〜３０度の角度によって傾斜して形成してもよい。これにより、本発明に係る靴底は、第２エッジ状突起の接地面における爪先側のエッジを、下りの歩行の際に地面に食い込ませて接地面を地面に十分に接地させることができるので、下りの歩行の際の靴底のグリップ力を向上させることができる。
【００１５】
また、本発明に係る靴は、前述の構成を有する靴底を備えていることを特徴とする。このような靴によれば、ゴルフのスイング中に該ブロック状突起の接地面におけるアウトサイドのエッジを十分に地面に接地させることができるので、靴底のグリップ力を向上させることができる。
【発明の効果】
【００１６】
本発明に係る靴底および靴によれば、前述のブロック状突起の作用により、ゴルフのスイング中における靴底のグリップを向上させることができ、これにより、ゴルフのスイングの安定性の向上を図ることができる。さらに、第１または第２エッジ状突起を備えることにより、歩行時における靴底のグリップ力を向上させることができ、歩行の安定性の向上も図ることができる。
【図面の簡単な説明】
【００１７】
【図１】本発明に係る靴底の一実施形態を示す底面図
【図２】図１のＡ部分に配置されたブロック状突起を示す底面概略図
【図３】図２のブロック状突起を示す斜視概略図
【図４】図２のブロック状突起の踵側壁面を示す側面概略図
【図５】図２のブロック状突起のアウトサイド壁面を示す側面概略図
【図６】図２のブロック状突起の配置向きを説明する概説図
【図７】図２のブロック状突起よりも内側に配置される他のブロック状突起の形状を示す斜視概略図
【図８】図１の靴底のアウトソールに形成された第１エッジ状突起を示す側面概略図
【図９】図８の第１エッジ状突起の配置位置および角度を示す概説図
【図１０】図１の靴底のアウトソールに形成された第２エッジ状突起を示す側面概略図
【図１１】図１０の第２エッジ状突起の配置位置および角度を示す概説図
【発明を実施するための形態】
【００１８】
以下、本発明に係る靴底の一実施形態を図１から図１１を参照して説明する。なお、本実施形態においては、左足の靴底を用いて説明するが、右足の靴底に用いることも可能である。
【００１９】
図１に示すように、本実施形態に係る靴底１は、ベース部２と、ベース部２に設けられた台部１２と、台部１２から地面方向に突出して設けられる複数のブロック状突起３とを有するアウトソール５を備えている。この靴底１は、図示しない靴本体の底面に装着されて、靴を構成するようになっている。ここで、本実施形態においては、親指側をインサイド、小指側をアウトサイドとし、靴底１の輪郭における爪先側先端と踵側後端とを結ぶ最長線の長さを基準長さＬ１とし、基準長さＬ１の長さ方向に直交する方向を幅方向として説明する。さらに、基準長さＬ１と平行であってアウトソール５の底面の輪郭におけるアウトサイドの最外端部を通過する直線を最外端線Ｌ２、インサイドの最内端部を通過する直線を最内端線Ｌ３とし、最外端線Ｌ２と最内端線Ｌ３との間の最短線の長さを基準幅Ｄとする。また、本実施形態においては、靴底１を爪先側（前側）から踵側（後側）にかけて、爪先部、踏み付け部、踵部と区分し、足裏の指に相当する部分を爪先部、踵に相当する部分を踵部、爪先部と踵部との間の領域を踏み付け部とする。
【００２０】
各ブロック状突起３のうち少なくとも１つのブロック状突起３（第１ブロック状突起３Ａ）は、図２に示すように、アウトソール５におけるアウトサイドの周縁側に配置されるアウトサイド壁面３Ａａと、アウトサイド壁面３Ａａの反対側に配置されるインサイド壁面３Ａｂと、爪先側に配置される爪先側壁面３Ａｃと、踵側に配置される踵側壁面３Ａｄとを有している。図３に示すように、第１ブロック状突起３Ａは、略四角錐の尖鋭部分が切り取られた形状とされており、地面に接地する接地面３Ａｅが略矩形状に形成されている。第１ブロック状突起３Ａにおける踵側壁面３Ａｄは、図４に示すように、アウトソール５の平面上におけるアウトサイドのソール側エッジ３Ａｆに相当する位置および地面側エッジ３Ａｇに相当する位置の間の距離Ｄ１が、インサイドのソール側エッジ３Ａｈに相当する位置および地面側エッジ３Ａｉに相当する位置の間の距離Ｄ２に対して２０〜４５％の長さに形成されている。また、本実施形態において、踵側壁面３Ａｄにおけるアウトサイド壁面３Ａａにより構成される辺Ｓ１は直線状に形成されており、インサイド壁面３Ａｂにより構成される辺Ｓ２は地面側からソール側に凹む曲線状に形成されている。なお、本発明における踵側壁面３Ａｄのアウトサイド壁面３Ａａにより構成される辺Ｓ１およびインサイド壁面３Ａｂにより構成される辺Ｓ２の形状はこれに限定されるものではなく、アウトサイド壁面３Ａａにより構成される辺Ｓ１が曲線状であってもよく、インサイド壁面３Ａｂにより構成される辺Ｓ２が直線状であってもよい。
【００２１】
また、第１ブロック状突起３Ａの接地面３Ａｅは、図２に示すように、アウトサイド壁面３Ａａの地面側エッジにより構成される辺Ｓ３が、爪先側壁面３Ａｃおよび踵側壁面３Ａｄの各地面側エッジにより構成される辺Ｓ４、Ｓ５に対して１３０〜４００％、特に好ましくは２５０〜４００％の長さとなるように形成されている。さらに、第１ブロック状突起３Ａのアウトサイド壁面３Ａａは、図５に示すようにソール側エッジにより構成される辺Ｓ６の長さが、ソール側エッジ３Ａｆと地面側エッジ３Ａｇとの間の長さＳ７（アウトサイド壁面３Ａａの高さ寸法）よりも長い台形状に形成されている。
【００２２】
ここで、ゴルフのスイング中においては、特にゴルフの打撃方向の手前側に位置する軸足において図１に示す矢印Ｂの方向に特に大きな力がかかることがわかっている。そこで、靴底１が前述の構成の第１ブロック状突起３Ａを備えることにより、ゴルフのスイング中に第１ブロック状突起３Ａの接地面３Ａｅにおけるアウトサイドの地面側エッジ３Ａｇを地面に食い込ませて接地面３Ａｅを十分に接地させることができ、これにより、本実施形態に係る靴底１によれば、靴底１のグリップ力を向上させることができる。
【００２３】
第１ブロック状突起３Ａは、底面のアウトサイドにおける基準長さＬ１における最も端部である最前端部から０．２Ｌ１の距離と、０．６Ｌ１の距離との間に配置されており、図６に示すように、アウトサイド壁面３Ａａにおける地面側エッジ３Ａｆが、幅方向に対して９０〜１５０度、特に好ましくは９５〜１１０度の角度に傾斜して配置されている。これにより、本実施形態に係る靴底１は、第１ブロック状突起３Ａのアウトサイド壁面３Ａａが、ゴルフのスイング中に特に力がかかる向きＢに対しほぼ直交して配置されることとなり、ゴルフのスイング中における靴底１のグリップ力が向上するようになっている。本実施形態においては、アウトソール５の底面における最外端線Ｌ２から０．１Ｄの距離をもって基準長さＬ１に平行に配置された第１区画線と、前記最外端線Ｌ２から０．６Ｄの距離をもって基準長さＬ１に平行に配置された第２区画線と、基準長さＬ１における最も爪先側の端部である最前端部Ｈから０．２Ｌ１の距離をもって基準幅Ｄに平行に配置された第３区画線と、最前端部Ｈから０．６Ｌ１の距離をもって基準幅Ｄに平行に配置された第４区画線とに囲まれた第１領域（図１において破線で囲まれた領域）に、第１ブロック状突起３Ａが配置されている。さらに好ましくは、第１領域における第２区画線は、最外端線Ｌ２から０．３Ｄの距離をもって基準長さＬ１に平行に配置されるとよい。
【００２４】
また、この第１領域のうち最前端部Ｈから０．３Ｌ１の距離より踵側に０．５５Ｌ１の距離の間には、少なくとも６個の第１ブロック状突起３Ａが配置されているとよい。
【００２５】
さらに、図４に示すように、第１ブロック状突起３Ａのインサイド壁面３Ａｂは、側面視において凹型の曲線状に形成されているとよい。これにより、靴底１は、アウトサイドからかかる力に対して、第１ブロック状突起３Ａの剛性を保持したまま引っ掛かり効果（エッジ効果）を向上させることができるので、この結果スイング中における靴底１のグリップ力をより向上させることができる。また、このような構成を採用することにより、第１ブロック状突起３Ａの剛性を低下させることなく軽量化を図ることができ、さらに高い引っ掛かり効果（エッジ効果）を維持しながら、第１ブロック状突起３Ａが靴底１からもげてしまうことを防止することができる。
【００２６】
アウトソール５の底面におけるアウトサイドの周縁のうち最前端部Ｈから０．１Ｌ１の距離と０．６Ｌ１の距離の間には、ベース部２から地面側に突出するアウトサイド周縁突起７が設けられている。また、アウトソール５の底面における爪先側の前端部分の周縁、およびインサイドの周縁のうち最前端部Ｈから０．０５Ｌ１の距離と０．５Ｌ１の距離との間には、台部１２から地面側に突出するブロック状のインサイド周縁突起８が前記前端部分およびインサイドの周縁に沿って並列して設けられている。
【００２７】
そして、本実施形態においては、第１ブロック状突起３Ａが、所定の間隙をもってアウトサイド周縁突起７に対向する位置に沿って並列して配置されている。また、アウトソール５の底面における最もアウトサイドに配置された所定の各第１ブロック状突起３Ａの親指側であってこれら各第１ブロック状突起３Ａの間隙に相当する位置にも、第１ブロック状突起３Ａが配置されている。このように第１ブロック状突起３Ａを靴底１の所定の位置に配置することにより、本実施形態に係る靴底１は、ゴルフのスイング中における靴底１のグリップ力を向上させることができる。
【００２８】
また、第１ブロック状突起３Ａの配置位置における幅方向の中央よりには、第１ブロック状突起３Ａと同一の構成や略同一の構成の第２ブロック状突起３Ｂが所定の間隙をもって格子状に配置されている。第２ブロック状突起３Ｂは、接地面３Ｂａの平面形状が長さ方向に長い長方形状または略正方形状に形成されており、これらの第２ブロック状突起３Ｂの接地面３Ｂａの中央部分には、図７に示すように、地面側からソール側に凹む平面形状が矩形状の凹部３Ｂｂが形成されている。この凹部３Ｂｂによって、第２ブロック状突起３Ｂの接地面積が小さくなっている。このように第２ブロック状突起３Ｂを靴底１の所定の位置に配置することにより、本実施形態に係る靴底１は、ゴルフのスイング中における靴底１のグリップ力を向上させることができる。また、靴底１は、第２ブロック状突起３Ｂの接地面積を小さくすることにより、第２ブロック状突起３Ｂの接地圧が高まり、靴底１のグリップ力を向上させることが可能となっている。
【００２９】
本実施形態に係る靴底１には、爪先側壁面１０ａおよび踵側壁面１０ｂを有する横筋状の第１エッジ状突起１０が設けられている。図８に示すように、第１エッジ状突起１０は、アウトソール５の底面に対する爪先側壁面１０ａの傾斜角度が、踵側壁面１０ｂの傾斜角度よりも小さく形成されている。また、第１エッジ状突起１０は、幅方向における中央部分であって最前端部Ｈから０．０５Ｌ１の距離をもって基準幅Ｄに平行に配置された第５区画線と、最前端部Ｈから０．５Ｌ１の距離をもって基準幅Ｄに平行に配置された第６区画線と、最外端線Ｌ２から０．３５Ｄの距離をもって基準長さＬ１に平行に配置された第７区画線と、最内端線Ｌ３から０．８Ｄの距離をもって基準長さＬ１に平行に配置された第８区画線に囲まれた第２領域（図１において一点鎖線で囲まれた領域）に配置されている。ここで、ゴルフのプレー中は坂道等傾斜の多いゴルフ場を歩き回るが、上りの際には、図９の矢印Ｆに示すように、靴底１の踏み付け部に後側への強い力が加わることとなる。そして、第１エッジ状突起１０の配置位置およびその構成により、上りの歩行の際に第１エッジ状突起１０における地面に接地する接地縁１０ｃが地面に食い込んで地面に十分に接地するので、これにより本実施形態に係る靴底１は、上りの歩行の際における靴底１のグリップ力の向上を図ることができる。
【００３０】
また、本実施形態において第１エッジ状突起１０における接地縁１０ｃは、図９に示すように、平面視において直線状、または直線状であって該直線状の途中部分において踵側にＶ字に突出するＶ字部１０ｄが形成された形状とされており、第１エッジ状突起１０の接地縁１０ｃにおける直線部分の配置角度が幅方向に対して０〜１０度の角度に傾斜して配置されている。また、第１エッジ状突起１０は、第１、第２ブロック状突起３Ａ、３Ｂの突出寸法以下の突出寸法によって形成されている。このような構成により、本実施形態に係る靴底１は、上りの歩行の際における靴底１のグリップ力の向上を図ることができる。
【００３１】
本実施形態に係る靴底１には、爪先側壁面１１ａおよび踵側壁面１１ｂを有する横筋状の第２エッジ状突起１１が設けられている。図１０に示すように、第２エッジ状突起１１は、アウトソール５の底面に対する爪先側壁面１１ａの傾斜角度が踵側壁面１１ｂの傾斜角度よりも大きく形成されている。また、第２エッジ状突起１１は、アウトソールの底面における幅方向の中央部分であって基準長さＬ１における最も爪先側の端部である最前端部から０．８５Ｌ１の距離と１．０Ｌ１の距離との間に配置されている。ここで、ゴルフのプレー中における下りの際には、図１１の矢印Ｇに示すように、靴底１の踵部の後端部分に前側への強い力が加わることとなる。そして、第２エッジ状突起１１の配置位置およびその構成により、下りの歩行の際に第２エッジ状突起１１における地面に接地する接地縁１１ｃが地面に食い込んで十分に接地し、これにより本実施形態に係る靴底１は、下りの歩行の際における靴底１のグリップ力を向上させることができる。
【００３２】
また、本実施形態において第２エッジ状突起１１の接地縁１１ｃは、直線状に形成され、図１１に示すように、第２エッジ状突起１１の接地縁１１ｃの配置角度が幅方向に対して１０〜３０度の角度に傾斜して配置されている。また、第２エッジ状突起１１は、第１、第２ブロック状突起２Ａ、３Ｂの突出寸法以下の突出寸法によって形成されている。このような構成により、本実施形態に係る靴底１は、下りの歩行の際における靴底１のグリップ力を向上させることができる。
【００３３】
なお、本実施形態においては、第１、第２エッジ状突起１０、１１は、接地縁１０ｃ、１１ｃを有しているが、本発明はこれに限定されるものではなく、例えば地面に接地される部分が面状に構成されるものであってもよい。
【００３４】
アウトソール５の底面のアウトサイドにおける踵側後端Ｉから０．１Ｌ１の距離と０．５Ｌ１との距離の間には、複数の第３ブロック状突起３Ｃが形成されている。第３ブロック状突起３Ｃは、接地面３Ｃａが靴底１の長さ方向に長い長方形状に形成されており、インサイド側の傾斜がアウトサイド側の傾斜よりも高く形成されている。また、第３ブロック状突起３Ｃの踵側壁面３Ｃｂは、靴底１の平面上におけるアウトサイドのソール側エッジ３Ｃｃに相当する位置と地面側エッジ３Ｃｄに相当する位置との間の距離が、インサイドのソール側エッジ３Ｃｅに相当する位置と地面側エッジ３Ｃｆに相当する位置との間の距離より短く形成されている。
【００３５】
アウトソール５の底面のインサイドにおける踵側後端Ｉから０．１Ｌ１の距離と０．４Ｌ１の距離との間には、複数の第４ブロック状突起３Ｄが形成されており、第４ブロック状突起３Ｄは、接地面３Ｄａが長さ方向に細長い長方形状に形成されており、アウトサイド側の傾斜がインサイド側の傾斜よりも高く形成されている。また第４ブロック状突起３Ｄの踵側壁面３Ｄｂは、靴底１の平面上におけるアウトサイドのソール側エッジ３Ｄｃに相当する位置と地面側エッジ３Ｄｄに相当する位置との間の距離が、インサイドのソール側エッジ３Ｄｅに相当する位置と地面側エッジ３Ｄｆに相当する位置との間の距離より長く形成されている。
【００３６】
インサイド周縁突起８の内側には、さらに複数の第５ブロック状突起３Ｅが形成されている。第５ブロック状突起３Ｅは、接地面３Ｅａが略矩形状に形成されており、接地面３Ｅａには、地面側からソール側に凹む平面形状が矩形状の凹部３Ｅｂが形成されている。
【００３７】
アウトソール５のベース部２の構成材料としては、熱可塑性樹脂、熱可塑性エラストマー又はＥＶＡ等が列挙され、アウトサイド周縁突起７は、ベース部２に連設して一体に形成されている。また、各ブロック状突起３Ａ、３Ｂ、３Ｃ、３Ｄ、３Ｅ、各エッジ状突起１０、１１、インサイド周縁突起８は、台部１２上に突出して台座１２と一体に形成されている。台座１２、各ブロック状突起３Ａ、３Ｂ、３Ｃ、３Ｄ、３Ｅ、各エッジ状突起１０、１１、インサイド周縁突起８の構成材料としては、天然ゴム、合成ゴムによるゴム組成物からなる弾性ゴムが好ましい。
【００３８】
そして、前述の靴底１を靴本体（図示せず）に装着することにより、本実施形態に係る靴底１を用いた靴が製造される。
【００３９】
このように、本実施形態に係る靴底１は、前述の構成の第１ブロック状突起３Ａを備えることにより、ゴルフのスイング中に、第１ブロック状突起３Ａの接地面３Ａｅにおけるアウトサイドのエッジ３Ａｇが地面に食い込み接地面３Ａｅが十分に地面に接地されるので、靴底１のグリップ力を向上させることができる。
【００４０】
したがって、本実施形態に係る靴底１によれば、ゴルフのスイング中における靴底１のグリップ力を向上させることができるので、ゴルフのスイングの安定性を図ることができる。
【００４１】
また、本実施形態に係る靴底１において前述の構成の第１エッジ状突起１０を備えることにより、ゴルフのプレイ中の上りの歩行の際における靴底１のグリップ力を向上させることができ、上りの際の歩行の安定性を向上させることができる。さらに、本実施形態に係る靴底１においてアウトソール５に第２エッジ状突起１１を備えることにより、ゴルフのプレー中の下りの歩行の際における靴底１のグリップ力を向上させることができ、下りの際の歩行の安定性を向上させることができる。これにより、本実施形態に係る靴底１によれば、ゴルフのスイングの安定性および歩行の安定性が向上した靴を提供することができる。
【００４２】
なお、本発明は前記実施形態に限定されるものではなく、必要に応じて種々変更することが可能である。
【符号の説明】
【００４３】
１  靴底
２  ベース部２
３  ブロック状突起
３Ａ  第１ブロック状突起
３Ａａ  アウトサイド壁面
３Ａｂ  インサイド壁面
３Ａｃ  爪先側壁面
３Ａｄ  踵側壁面
３Ａｅ  接地面
３Ａｆ  ソール側エッジ
３Ａｇ  地面側エッジ
５  アウトソール
７  アウトサイド周縁突起
８  インサイド周縁突起
１０  第１エッジ状突起
１０ａ  爪先側壁面
１０ｂ  踵側壁面
１０ｃ  接地縁
１１  第２エッジ状突起
１１ａ  爪先側壁面
１１ｂ  踵側壁面
１１ｃ  接地縁
１２  台部
【図１】
0006680495.tif 000002
【図２】
0006680495.tif 000003
【図３】
0006680495.tif 000004
【図４】
0006680495.tif 000005
【図５】
0006680495.tif 000006
【図６】
0006680495.tif 000007
【図７】
0006680495.tif 000008
【図８】
0006680495.tif 000009
【図９】
0006680495.tif 000010
【図１０】
0006680495.tif 000011
【図１１】
0006680495.tif 000012